【手続補正書】
【提出日】平成30年3月29日(2018.3.29)
【手続補正１】
【補正対象書類名】特許請求の範囲
【補正対象項目名】全文
【補正方法】変更
【補正の内容】
【特許請求の範囲】
【請求項１】
スケジュールされたメディアアセットをフルスクリーン表示で表示しながら、スケジュールされていないメディアアセットのオプションをナビゲートするための方法であって、
フルスクリーン表示で表示するために、スケジュールされたメディアアセットのビデオを出力することと、
ユーザ入力デバイスから第１のナビゲーションコマンドを受信することと、
前記スケジュールされたメディアアセットの前記ビデオを前記フルスクリーン表示で表示しながら、第１のスケジュールされていないメディアアセットに関連する第１の情報を取得することであって、前記第１のスケジュールされていないメディアアセットは、第１のメディアアセットタイトルを含む、ことと、
前記スケジュールされたメディアアセットの前記ビデオの上に部分的スクリーンメディアガイダンスアプリケーション表示で表示するために、前記第１のスケジュールされていないメディアアセットのための前記第１のメディアアセットタイトルを生成することと、
前記ユーザ入力デバイスから第２のナビゲーションコマンドを受信することと、
前記スケジュールされたメディアアセットの前記ビデオを前記フルスクリーン表示で表示することを継続しながら、第２のスケジュールされていないメディアアセットに関連する第２の情報を取得することであって、前記第２のスケジュールされていないメディアアセットは、第２のメディアアセットタイトルと、前記第２のスケジュールされていないメディアアセットのタイプを識別する第２のソース識別コードとを含む、ことと、
前記第２のナビゲーションコマンドが受信されると、前記スケジュールされたメディアアセットの前記ビデオを前記フルスクリーン表示で維持しながら、前記第１のメディアアセットタイトルの代わりに前記部分的スクリーンにおいて表示するために、前記ソースから利用可能な前記第２のスケジュールされていないメディアアセットのための前記第２のメディアアセットタイトルを生成することと、
前記ユーザ入力デバイスからユーザ入力を受信することと、
前記ユーザ入力が受信されると、前記第２のスケジュールされていないメディアアセットのタイプに基づいて、前記第２のスケジュールされていないメディアアセットを表示のために生成することと
を含む、方法。
【請求項２】
前記第１のナビゲーションのコマンドは、第１の方向の入力および第１の方向に関連付けられており、前記第２のナビゲーションのコマンドは、第２の方向の入力および第２の方向に関連付けられている、請求項１に記載の方法。
【請求項３】
前記第１のスケジュールされていないメディアアセットは、第１の記録されたメディアアセットであり、前記第２のスケジュールされていないメディアアセットは、第２の記録されたメディアアセットである、請求項１に記載の方法。
【請求項４】
前記第１の記録されたメディアアセットおよび前記第２の記録されたメディアアセットは、サーバに格納されている、請求項３に記載の方法。
【請求項５】
前記スケジュールされたメディアアセットは、放送メディアアセットである、請求項１に記載の方法。
【請求項６】
前記第１のナビゲーションのコマンドを受信する前に、前記ユーザ入力デバイスから第３のナビゲーションのコマンドを受信することと、
前記第３のナビゲーションのコマンドが受信されると、前記スケジュールされたメディアアセットの前記ビデオの上に前記部分的スクリーンメディアガイダンスアプリケーション表示で表示するために、前記スケジュールされたメディアアセットのための第３のメディアアセット識別子と、前記スケジュールされたメディアアセットの第２のソースのための第２のチャンネル識別子とを生成することと
をさらに含む、請求項１に記載の方法。
【請求項７】
前記スケジュールされたメディアアセットの前記第２のソースは、放送チャンネルである、請求項６に記載の方法。
【請求項８】
前記第３のナビゲーションのコマンドを受信した後、前記第１のナビゲーションのコマンドを受信する前に、前記ユーザ入力デバイスから第４のナビゲーションコマンドを受信することと、
前記第３のメディアアセット識別子および前記第２のチャンネル識別子の代わりに表示するために、スケジュールされていないメディアアセットの第３のソースのための第３のチャンネル識別子を生成することと、
前記ユーザ入力デバイスから第２のユーザ入力を受信することと、
前記第２のユーザ入力を受信したことに応答して、第３のスケジュールされていないメディアアセットを表示のために生成することと
をさらに含む、請求項７に記載の方法。
【請求項９】
前記スケジュールされたメディアアセットの前記ビデオを前記フルスクリーン表示で表示しながら、第１のスケジュールされていないメディアアセットに関連する第１の情報を取得することであって、前記第１のスケジュールされていないメディアアセットは、第１のメディアアセットタイトルを含む、ことは、
番組ガイドデータベースから、前記第１のスケジュールされていないメディアアセットのタイプを示すタグを取得することと、
前記部分的スクリーンに表示するために、前記第１のスケジュールされていないメディアアセットのための前記第１のメディアアセットタイトルに近接して、前記第１のスケジュールされていないメディアアセットのタイプを示す視覚的なインジケータと、前記第１のスケジュールされていないメディアアセットの簡単な説明とを生成することと
を含む、請求項１に記載の方法。
【請求項１０】
スケジュールされたメディアアセットをフルスクリーン表示で表示しながら、スケジュールされていないメディアアセットのオプションをナビゲートするためのシステムであって、前記システムは、
入力デバイスと、
制御回路と
を含み、
前記制御回路は、
フルスクリーン表示で表示するために、スケジュールされたメディアアセットのビデオを出力することと、
前記入力デバイスを介して、第１のナビゲーションコマンドを受信することと、
前記スケジュールされたメディアアセットの前記ビデオを前記フルスクリーン表示で表示しながら、第１のスケジュールされていないメディアアセットに関連する第１の情報を取得することであって、前記第１のスケジュールされていないメディアアセットは、第１のメディアアセットタイトルを含む、ことと、
前記スケジュールされたメディアアセットの前記ビデオの上に部分的スクリーンメディアガイダンスアプリケーション表示で表示するために、前記第１のスケジュールされていないメディアアセットのための前記第１のメディアアセットタイトルを生成することと、
前記入力デバイスを介して、第２のナビゲーションコマンドを受信することと、
前記スケジュールされたメディアアセットの前記ビデオを前記フルスクリーン表示で表示することを継続しながら、第２のスケジュールされていないメディアアセットに関連する第２の情報を取得することであって、前記第２のスケジュールされていないメディアアセットは、第２のメディアアセットタイトルと、前記第２のスケジュールされていないメディアアセットのタイプを識別する第２のソース識別コードとを含む、ことと、
前記第２のナビゲーションコマンドが受信されると、前記スケジュールされたメディアアセットの前記ビデオを前記フルスクリーン表示で維持しながら、前記第１のメディアアセットタイトルの代わりに前記部分的スクリーンにおいて表示するために、前記ソースから利用可能な前記第２のスケジュールされていないメディアアセットのための前記第２のメディアアセットタイトルを生成することと、
前記入力デバイスを介して、ユーザ入力を受信することと、
前記ユーザ入力が受信されると、前記第２のスケジュールされていないメディアアセットを表示のために生成することと
を行うように構成されている、システム。